(57)【要約】【課題】書込可能領域が広く、ユーザーが直感的な操作を行うことのできる電子黒板システムを提供する。【解決手段】ページ画像に対する書き込み指示を行うための表示画面１１ａに対する第１方法によるタッチ操作と、表示画面１１ａに対する第１方法とは異なる第２方法によるタッチ操作とを識別可能に検出し、第２方法による所定のタッチ操作を検出した場合に、上記所定のタッチ操作が行われる前のページデータのページ範囲に第１方法による書き込み指示が可能な拡張書込範囲を付加してページデータのページ範囲を拡張する。【選択図】図１
2012146017.tif 000002
【特許請求の範囲】
【請求項１】
ページデータに応じたページ画像を表示する表示画面と、上記表示画面に対するタッチ操作を検出するタッチ操作検出手段とを備えた電子黒板システムであって、
上記ページデータは、当該ページデータに対応するページのページ範囲と当該ページ範囲に対するユーザーからの書き込み指示内容とを含むデータであり、
上記タッチ操作検出手段は、上記ページ範囲に対する書き込み指示を行うための上記表示画面に対する第１方法によるタッチ操作と、上記表示画面に対する上記第１方法とは異なる第２方法によるタッチ操作とを識別可能に検出し、
上記タッチ操作検出手段が上記表示画面に対する上記第２方法による所定のタッチ操作を検出した場合に、上記所定のタッチ操作が行われる前のページデータのページ範囲に上記第１方法による書き込み指示が可能な拡張書込範囲を付加して上記ページデータのページ範囲を拡張する書込範囲拡張処理を行う制御部を備えていることを特徴とする電子黒板システム。
【請求項２】
上記制御部は、上記書込範囲拡張処理において、上記第２方法による上記所定のタッチ操作が行われる前の上記ページ画像の一部が当該タッチ操作前のページ画像の表示領域から外れるように上記ページ画像をスライドさせることによって当該表示領域に生じる余白領域を上記拡張書込範囲とすることを特徴とする請求項１に記載の電子黒板システム。
【請求項３】
上記制御部は、上記拡張書込範囲を付加した後のページデータに対応するページ画像の全体、または上記拡張書込範囲を付加した後のページデータに対応するページ画像のうち上記拡張書込範囲を付加する前のページ画像に対応する画像の画像サイズを変倍することにより、上記拡張書込範囲を付加した後のページデータに対応するページ画像のサイズを上記表示領域のサイズに一致させることを特徴とする請求項２に記載の電子黒板システム。
【請求項４】
上記制御部は、上記第２方法による上記所定のタッチ操作が行われる前の上記ページデータに応じたページ画像を縮小する縮小処理を行い、当該縮小処理によって当該タッチ操作が行われる前のページ画像の表示領域に生じる余白領域を上記拡張書込範囲とすることを特徴とする請求項１に記載の電子黒板システム。
【請求項５】
上記所定のタッチ操作は、上記第２方法によって上記表示画面に触れた状態で上記表示画面に対する接触位置を略直線状に移動させるタッチ操作であり、
上記制御部は、当該タッチ操作の軌跡に応じたベクトルを算出し、算出したベクトルに応じて上記拡張書込範囲を付加する位置および上記拡張書込範囲のサイズを決定することを特徴とする請求項１から４のいずれか１項に記載の電子黒板システム。
【請求項６】
上記制御部は、
複数ページのページデータが存在する場合に、上記書き込み指示の対象とするページデータ以外のページデータのうちの少なくとも１ページ分のページデータに応じたページ画像の縮小画像を生成し、
上記書き込み指示の対象とするページデータのページ画像に上記縮小画像を重畳させた重畳画像を上記表示画面に表示させ、
上記タッチ操作検出手段が上記縮小画像を選択するためのタッチ操作を検出した場合に、上記書き込み指示の対象とするページデータを当該タッチ操作によって選択された縮小画像に切り替えることを特徴とする請求項１から５のいずれか１項に記載の電子黒板システム。
【請求項７】
上記第１方法によるタッチ操作は、所定のペン入力装置を用いた上記表示画面に対するタッチ操作であり、
上記第２方法によるタッチ操作は、上記ペン入力装置以外を用いた上記表示画面に対するタッチ操作であることを特徴とする請求項１から６のいずれか１項に記載の電子黒板システム。
【請求項８】
上記第１方法によるタッチ操作は、オン状態とオフ状態とに切り替え可能な所定のペン入力装置をオン状態にして上記表示画面に接触させるタッチ操作であり、
上記第２方法によるタッチ操作は、ペン入力装置をオフ状態にして上記表示画面に接触させるタッチ操作、または上記ペン入力装置以外を用いた上記表示画面に対するタッチ操作であることを特徴とする請求項１から６のいずれか１項に記載の電子黒板システム。
【請求項９】
ページデータに応じたページ画像を表示する表示画面と、上記表示画面に対するタッチ操作を検出するタッチ操作検出手段とを備えた電子黒板システムの制御方法であって、
上記ページデータは、当該ページデータに対応するページのページ範囲と当該ページ範囲に対するユーザーからの書き込み指示内容とを含むデータであり、
上記タッチ操作検出手段により、上記ページ範囲に対する書き込み指示を行うための上記表示画面に対する第１方法によるタッチ操作と、上記表示画面に対する上記第１方法とは異なる第２方法によるタッチ操作とを識別可能に検出する検出工程と、
上記検出工程において上記表示画面に対する上記第２方法による所定のタッチ操作を検出した場合に、上記所定のタッチ操作が行われる前のページデータのページ範囲に上記第１方法による書き込み指示が可能な拡張書込範囲を付加して上記ページデータのページ範囲を拡張書込範囲拡張処理を行う拡張工程とを含むことを特徴とする電子黒板システムの制御方法。
【請求項１０】
請求項１から８のいずれか１項に記載の電子黒板システムを動作させるプログラムであって、コンピュータを上記制御部として機能させるためのプログラム。
【請求項１１】
請求項１０に記載のプログラムを記録したコンピュータ読み取り可能な記録媒体。
【発明の詳細な説明】
【技術分野】
【０００１】
本発明は、タッチパネルを有する表示装置を備え、上記タッチパネルに対する書き込み操作に応じた画像を上記表示装置に表示させる電子黒板システムに関するものである。
【背景技術】
【０００２】
従来から、タッチパネルを用いてユーザーからの指示入力を受け付ける表示装置において、ユーザーが指示入力を行う領域を表示中の画像領域外の領域に拡張させることでユーザーの操作性を高める技術がいくつか提案されている。
【０００３】
例えば、特許文献１には、タッチパネルの入力領域の周辺に設定された操作領域に対して所定の操作が行われた場合に、ディスプレイ画面の周縁に位置するカーソルをこのディスプレイ画面の外側へ向けて移動させるとともに、このカーソルの移動に応じてディスプレイ画面の表示内容をスクロールさせる技術が開示されている。これにより、特許文献２の技術では、タッチパネルを用いたタッチ操作によってディスプレイ画面の外側に設定された表示画像への表示領域の移動制御を可能にしている。
【０００４】
また、特許文献２には、ＬＣＤ有効表示エリアの周囲にマウス操作と同等な操作を認識するエリアを設け、ＬＣＤ有効表示エリアの辺領域をポインティングした場合には上，下，左および右の辺に対応してカーソルを移動させるとともに表示画面をスクロールさせ、隅領域をポインティングした場合には、左上，右上および左下の隅に対応してマウスにおける複数のボタンの操作（マウスの第１ボタンの押し下げ、第２ボタンの押し下げ、および第１・第２ボタンの同時押し下げ）に対応する処理を行う技術が開示されている。これにより、特許文献２の技術では、タッチパネルを用いてパソコンにおけるマウス操作と同様の操作を行うこと可能にしている。
【先行技術文献】
【特許文献】
【０００５】
【特許文献１】特開２００２−１２３３６９号公報（平成１４年４月２６日公開）
【特許文献２】特開平７−７２９７６号公報（平成７年３月１７日公開）
【発明の概要】
【発明が解決しようとする課題】
【０００６】
しかしながら、上記特許文献１の技術では、タッチパネルの入力面の周縁部を所定の操作を行うための操作領域として機能させるため、電子黒板システムとして用いる場合に、当該操作領域に対して書き込みを行うことができず、書込可能領域が狭くなってしまうという問題がある。また、書込可能領域と操作領域とが明確に示されるわけではないので、ユーザーがこれら両領域を直感的に識別することができないという問題がある。
【０００７】
また、上記特許文献２の技術では、ＬＣＤ有効表示エリアの周囲にタッチペンによるマウス操作と同様の操作を認識するエリアを設け、当該エリアに対するタッチペンによる操作を認識したときに当該操作に応じた処理を行うようになっているが、この構成では、上記エリアには画像が表示されないので、ユーザーが直感的な操作をしにくいという問題がある。また、表示領域の周囲に上記エリアを設ける必要があるので、表示装置のサイズに対する表示領域（電子黒板システムとして用いる場合の書込可能領域）のサイズが比較的小さくなってしまうという問題がある。
【０００８】
本発明は、上記の課題に鑑みてなされたものであり、その目的は、書込可能領域が広く、ユーザーが直感的な操作を行うことのできる電子黒板システムおよびその制御方法を提供することにある。
【課題を解決するための手段】
【０００９】
本発明の電子黒板システムは、上記の課題を解決するために、ページデータに応じたページ画像を表示する表示画面と、上記表示画面に対するタッチ操作を検出するタッチ操作検出手段とを備えた電子黒板システムであって、上記ページデータは、当該ページデータに対応するページのページ範囲と当該ページ範囲に対するユーザーからの書き込み指示内容とを含むデータであり、上記タッチ操作検出手段は、上記ページ範囲に対する書き込み指示を行うための上記表示画面に対する第１方法によるタッチ操作と、上記表示画面に対する上記第１方法とは異なる第２方法によるタッチ操作とを識別可能に検出し、上記タッチ操作検出手段が上記表示画面に対する上記第２方法による所定のタッチ操作を検出した場合に、上記所定のタッチ操作が行われる前のページデータのページ範囲に上記第１方法による書き込み指示が可能な拡張書込範囲を付加して上記ページデータのページ範囲を拡張する書込範囲拡張処理を行う制御部を備えていることを特徴としている。
【００１０】
また、本発明の電子黒板システムの制御方法は、上記の課題を解決するために、ページデータに応じたページ画像を表示する表示画面と、上記表示画面に対するタッチ操作を検出するタッチ操作検出手段とを備えた電子黒板システムの制御方法であって、上記ページデータは、当該ページデータに対応するページのページ範囲と当該ページ範囲に対するユーザーからの書き込み指示内容とを含むデータであり、上記タッチ操作検出手段により、上記ページ範囲に対する書き込み指示を行うための上記表示画面に対する第１方法によるタッチ操作と、上記表示画面に対する上記第１方法とは異なる第２方法によるタッチ操作とを識別可能に検出する検出工程と、上記検出工程において上記表示画面に対する上記第２方法による所定のタッチ操作を検出した場合に、上記所定のタッチ操作が行われる前のページデータのページ範囲に上記第１方法による書き込み指示が可能な拡張書込範囲を付加して上記ページデータのページ範囲を拡張する書込範囲拡張処理を行う拡張工程とを含むことを特徴としている。
【００１１】
上記の電子黒板システムおよび電子黒板システムの制御方法によれば、ページ画像に対する書き込み指示を行うための表示画面に対する第１方法によるタッチ操作と、表示画面に対する第１方法とは異なる第２方法によるタッチ操作とを識別可能に検出し、第２方法による表示画面に対する所定のタッチ操作を検出した場合に、上記所定のタッチ操作が行われる前のページデータのページ範囲に上記第１方法による書き込み指示が可能な拡張書込範囲を付加して上記ページデータのページ範囲を拡張する書込範囲拡張処理を行う。これにより、ユーザーがページデータの書込可能範囲を容易に拡張することができる。また、ページデータに対する書き込み指示の入力領域（第１方法による入力領域）と、書込可能範囲を拡張するための指示入力の入力範囲（第２方法による入力領域）とを共通にできるので、書込可能領域が広く、ユーザーが直感的な操作を行うことのできる電子黒板システムを実現できる。
【００１２】
また、上記制御部は、上記書込範囲拡張処理において、上記第２方法による上記所定のタッチ操作が行われる前の上記ページ画像の一部が当該タッチ操作前のページ画像の表示領域から外れるように上記ページ画像をスライドさせることによって当該表示領域に生じる余白領域を上記拡張書込範囲とする構成としてもよい。
【００１３】
上記の構成によれば、拡張書込範囲とともに当該拡張書込範囲の近傍のページ画像が表示されるので、ユーザーがページデータを容易に把握することができる。
【００１４】
また、上記制御部は、上記拡張書込範囲を付加した後のページデータに対応するページ画像の全体、または上記拡張書込範囲を付加した後のページデータに対応するページ画像のうち上記拡張書込範囲を付加する前のページ画像に対応する画像の画像サイズを変倍することにより、上記拡張書込範囲を付加した後のページデータに対応するページ画像のサイズを上記表示領域のサイズに一致させる構成としてもよい。
【００１５】
上記の構成によれば、拡張書込範囲を含むページデータの全体が表示されるので、書込範囲拡張処理を行った場合であってもユーザーがページデータの全体を容易に把握することができる。
【００１６】
また、上記所定のタッチ操作は、上記第２方法によって上記表示画面に触れた状態で上記表示画面に対する接触位置を略直線状に移動させるタッチ操作であり、上記制御部は、当該タッチ操作の軌跡に応じたベクトルを算出し、算出したベクトルに応じて上記拡張書込範囲を付加する位置および上記拡張書込範囲のサイズを決定する構成としてもよい。
【００１７】
上記の構成によれば、ユーザーが拡張書込範囲のサイズを容易かつ直感的に指定することができる。
【００１８】
また、上記制御部は、複数ページのページデータが存在する場合に、上記書き込み指示の対象とするページデータ以外のページデータのうちの少なくとも１ページ分のページデータに応じたページ画像の縮小画像を生成し、上記書き込み指示の対象とするページデータのページ画像に上記縮小画像を重畳させた重畳画像を上記表示画面に表示させ、上記タッチ操作検出手段が上記縮小画像を選択するためのタッチ操作を検出した場合に、上記書き込み指示の対象とするページデータを当該タッチ操作によって選択された縮小画像に切り替える構成としてもよい。
【００１９】
上記の構成によれば、書き込み指示の対象とするページデータのページ画像に他のページデータの縮小画像を重畳させて同一画面上に表示することができるので、ユーザーが複数のページデータの内容を視認できる。また、書き込み指示の対象とするページデータを容易に切り替えることができる。
【００２０】
また、上記第１方法によるタッチ操作は、所定のペン入力装置を用いた上記表示画面に対するタッチ操作であり、上記第２方法によるタッチ操作は、上記ペン入力装置以外を用いた上記表示画面に対するタッチ操作である構成としてもよい。あるいは、上記第１方法によるタッチ操作は、オン状態とオフ状態とに切り替え可能な所定のペン入力装置をオン状態にして上記表示画面に接触させるタッチ操作であり、上記第２方法によるタッチ操作は、ペン入力装置をオフ状態にして上記表示画面に接触させるタッチ操作、または上記ペン入力装置以外を用いた上記表示画面に対するタッチ操作である構成としてもよい。
【００２１】
上記の構成によれば、第１方法によるタッチ操作と第２方法によるタッチ操作とを適切に識別することができる。
【００２２】
なお、上記電子黒板システムは、コンピュータによって実現してもよく、この場合には、コンピュータを上記制御部として動作させることにより、上記電子黒板システムをコンピュータにて実現させるプログラム、およびそれを記録したコンピュータ読み取り可能な記録媒体も、本発明の範疇に含まれる。
【発明の効果】
【００２３】
以上のように、本発明の電子黒板システムおよび電子黒板システムの制御方法は上記ページ範囲に対する書き込み指示を行うための上記表示画面に対する第１方法によるタッチ操作と、上記表示画面に対する上記第１方法とは異なる第２方法によるタッチ操作とを識別可能に検出し、上記表示画面に対する上記第２方法による所定のタッチ操作を検出した場合に、上記所定のタッチ操作が行われる前のページデータのページ範囲に上記第１方法による書き込み指示が可能な拡張書込範囲を付加して上記ページデータのページ範囲を拡張する書込範囲拡張処理を行う。
【００２４】
それゆえ、ユーザーがページ画像の書込可能範囲を容易に拡張することができる。また、書込可能領域が広く、ユーザーが直感的な操作を行うことができる電子黒板システムを実現できる。
【図面の簡単な説明】
【００２５】
【図１】本発明の一実施形態にかかる電子黒板システムにおける書込領域拡張処理および変倍処理を説明するための模式図である。
【図２】本発明の一実施形態にかかる電子黒板システムの構成を示す模式図である。
【図３】図２に示した電子黒板システムのブロック図である。
【図４】図２に示した電子黒板システムに備えられる発光素子および受光素子の配置を示す模式図である。
【図５】図２に示した電子黒板システムに備えられるペン入力装置の構成を示す模式図である。
【図６】図２に示した電子黒板システムの表示画面に表示される画像の一例を示す模式図である。
【図７】図２に示した電子黒板システムにおけるタッチ操作によるユーザーからの指示入力の受け付け処理の流れを示すフローチャートである。
【図８】図２に示した電子黒板システムにおける書込領域拡張処理の流れを示すフローチャートである。
【図９】図２に示した電子黒板システムにおけるタッチ操作に対応するベクトルの算出方法を示す説明図である。
【図１０】本発明の他の実施形態にかかる電子黒板システムにおける処理の流れを示すフローチャートである。
【図１１】図１０に示した電子黒板システムの表示画面に表示される画像の一例を示す模式図である。
【発明を実施するための形態】
【００２６】
〔実施形態１〕
本発明の一実施形態について説明する。
【００２７】
（１−１．電子黒板システム１０の全体構成）
図２は本実施形態にかかる電子黒板システム１０の構成を示す模式図であり、図３は電子黒板システム１０の機能構成を示すブロック図である。
【００２８】
図２および図３に示すように、電子黒板システム１０は、表示装置１、ペン入力装置２、および外部装置３を備えている。
【００２９】
表示装置１は、表示部１１、表示制御部１２、タッチパネル部１３、ペンデータ受信部１４、制御部１５、インターフェース部１６、および記憶部１７を備えている。
【００３０】
制御部１５は、記憶部１７に記憶されている各種情報および各種制御を実施するためのプログラムを読み出して演算処理や判定処理を行い、これらの処理結果に基づいて表示装置１の各部に制御信号を送って当該各部の動作を制御する。なお、制御部１５は、例えば、中央演算処理装置（ＣＰＵ：Central Processing Unit）を備えるマイクロコンピュータ、マイクロプロセッサなどによって実現される処理回路である。
【００３１】
記憶部１７は、制御部１５の処理で用いられる各種プログラムや各種情報、ページデータ、および各種画像データなどを記憶する記憶手段である。
【００３２】
表示制御部１２は、制御部１５の指示に応じた画像を表示させるように表示部１１の動作を制御し、表示部１１の表示画面１１ａに上記画像を表示させる。
【００３３】
表示部１１は、表示制御部１２からの指示に応じた画像を表示する表示手段である。本実施形態では、表示部１１として６０インチサイズの液晶表示装置を用いている。なお、表示部１１は画像データに応じた画像を表示できるものであればよく、例えば、プラズマディスプレイ、有機ＥＬ（エレクトロルミネセンス）ディスプレイ、ＣＲＴなどを用いてもよい。また、表示部１１のサイズについても特に限定されるものではない。
【００３４】
タッチパネル部１３は、発光部４１、アドレスデコーダ４２、受光部４３、アドレスデコーダ４４、およびＡ／Ｄ変換部（Ａ／Ｄコンバータ）４５を備えており、制御部１５の指示に応じてユーザーからのタッチ操作を検出する処理を行うとともに、その検出結果を制御部１５に伝達する。
【００３５】
発光部４１は赤外光を照射する多数の発光素子４１ａ，４１ｂからなり、受光部４３は上記各発光素子４１ａ，４１ｂから照射された赤外光を受光する多数の受光素子４３ａ，４３ｂからなる。なお、上記発光素子４１ａ，４１ｂとしては、例えば赤外光を発光する発光ダイオード（ＬＥＤ）などを用いることができる。
【００３６】
具体的には、図４に示すように、矩形形状からなる表示画面１１ａの周縁部を取り囲む枠部１１ｂの長辺のうちの１辺に発光素子４１ａ，４１ａ，・・・が所定ピッチ（本実施形態では４．３５ｍｍ毎）で配置され、当該長辺に対向するもう一方の長辺に各発光素子４１ａ，４１ａ，・・・から出射される赤外光を受光する受光素子４３ａ，４３ａ，・・・が所定ピッチ（本実施形態では４．３５ｍｍ毎）で配置されている。また、枠部１１ｂの短辺のうちの１辺に発光素子４１ｂ，４１ｂ，・・・が所定ピッチ（本実施形態では４．３５ｍｍ毎）で配置され、当該長辺に対向するもう一方の長辺に各発光素子４１ｂ，４１ｂ，・・・から出射される赤外光を受光する受光素子４３ｂ，４３ｂ，・・・が所定ピッチ（本実施形態では４．３５ｍｍ毎）で配置されている。
【００３７】
なお、本実施形態では、各発光素子４１ａおよび４１ｂから照射される赤外光のホバリングギャップは約３ｍｍに設定されている。すなわち、各発光素子４１ａおよび４１ｂから照射された赤外光は、表示画面１１ａから約３ｍｍ離れた位置を表示画面１１ａに対して平行に進み、当該発光素子４１ａ，４１ｂに対応する受光素子４３ａおよび４３ｂに入射するようになっている。
【００３８】
また、本実施形態では、枠部１１ｂの長辺には３０８個の発光素子４１ａ、受光素子４３ａが設けられ、短辺には１７４個の発光素子４１ｂ、受光素子４３ｂが設けられているが、図４では、便宜上、これらのうちの一部のみを描いている。
【００３９】
また、発光部４１（各発光素子４１ａ，４１ｂ）はアドレスデコーダ４２に接続されており、受光部４３（各受光素子４３ａ，４３ｂ）はアドレスデコーダ４４およびＡ／Ｄ変換部４５に接続されている。
【００４０】
アドレスデコーダ４２は、制御部１５からの指示に応じて、発光素子４１ａ，４１ａ，・・・および発光素子４１ｂ，４１ｂ，・・・のいずれかを選択する信号を発光部４１へ出力する。すなわち、制御部１５が各発光素子を順次発光させるための信号をアドレスデコーダ４２へ出力すると、これに応じて、アドレスデコーダ４２が各発光素子を順次選択し、選択した発光素子を順次発光させる。
【００４１】
アドレスデコーダ４４は、制御部１５からの指示に応じて、赤外光の受光処理を行う受光素子を選択する信号を受光部４３へ出力する。すなわち、制御部１５は、各発光素子を順次発光させるための信号をアドレスデコーダ４２に出力するとともに、当該信号に同期した、発光させる発光素子に対応する受光素子に受光処理を行わせるための信号をアドレスデコーダ４２へ出力する。これにより、アドレスデコーダ４４が各受光素子に受光処理を行わせる。各受光素子は、アドレスデコーダ４４によって選択されたときに、受光した赤外光の強度を電圧値で示す強度信号をＡ／Ｄ変換部４５へ出力する。
【００４２】
Ａ／Ｄ変換部４５は、各受光素子から入力される強度信号をデジタル信号に変換して制御部１５に伝達する。例えば、Ａ／Ｄ変換部４５は、各受光素子から入力される強度信号を８ビットのデジタル信号へ変換して制御部１５へ出力する。
【００４３】
制御部１５は、各発光素子を順次発光させるとともに、発光させた発光素子に対応する受光素子に受光処理を行わせる処理を繰り返すことにより、全ての受光素子からの強度信号を取得する。例えば、制御部１５は、発光素子４１ａ，４１ａ，・・・，４１ａを端から順次発光させるとともにこれら各発光素子に対応する受光素子４３ａ，４３ａ，・・・，４３ａから強度信号を取得し、次に、発光素子４１ｂ，４１ｂ，・・・，４１ｂを端から順次発光させるとともにこれら各発光素子に対応する受光素子４３ｂ，４３ｂ，・・・，４３ｂから強度信号を取得する。
【００４４】
また、制御部１５は、各受光素子から取得した強度信号から当該各受光素子での受光量を計算し、当該受光素子によって受光する赤外光が発光素子から受光素子までの光路において遮断されたか否かを判定する。すなわち、ある受光素子での受光量が予め定められている閾値を超過している場合、制御部１５は、当該受光素子が受光する赤外光は遮断されていないと判定し、上記閾値以下である場合、制御部１５は当該受光素子が受光する赤外光が遮断されていると判定する。このようにして、制御部１５は、受光する赤外光の光路が遮断されている受光素子を特定する。
【００４５】
これにより、ペン入力装置２あるいはペン入力装置２以外の物を表示画面１１ａに接触させて表示画面１１ａ上のいずれかの位置を指示している場合は、その接触位置に応じた位置を通る光路が遮断され、制御部１５は、特定した受光素子の位置からペン入力装置２あるいはペン入力装置２以外の物で指示された表示画面１１ａ上の位置を算出する。例えば、表示画面１１ａの長辺方向をｘ軸方向、短辺方向をｙ軸方向とする場合、座標（ｘｉ，０）の位置にある受光素子４３ａ、および座標（０，ｙｉ）の位置にある受光素子４３ｂでの受光量が閾値以下であり、他の受光素子での受光量が閾値を超過している場合、制御部１５は、表示画面１１ａ上の指示位置（接触位置）の座標を（ｘｉ，ｙｉ）と算出する。
【００４６】
なお、タッチパネル部１３の構成はこれに限るものではなく、ユーザーによる表示画面へのタッチ動作を検出できる構成であればよい。例えば、赤外線遮断方式に限らず、抵抗膜方式、表面型静電容量方式、投影型静電容量方式、超音波表面弾性波方式、音響パルス認識方式、振動検出方式、電磁誘導方式、画像認識方式、あるいは光センサ内蔵ＬＣＤ方式のタッチパネル部を用いてもよい。また、例えば、液晶表示パネル、プラズマディスプレイ、有機ＥＬパネル等の表示パネルの表示画面上に、ユーザーのタッチ操作を検出するためのタッチパネル部（例えば赤外線遮断方式のタッチパネル部等）を取り付けたオーバーレイ構造であってもよく、タッチパネル部を表示パネルと一体化させた構造であってもよい。
【００４７】
ペンデータ受信部１４は、ペン入力装置２のペンデータ送信部２５から送信されるペンデータを受信する。
【００４８】
本実施形態では、図２に示すように、ペンデータ受信部１４としての超音波マイクが表示部１１の表示画面の周囲に設けられた枠部１１ｂに設けられており、この超音波マイクにより、ペン入力装置２のペンデータ送信部２５から超音波によって送信されたペンデータを受信するようになっている。なお、図２に示した例ではペンデータ受信部１４としての超音波マイクを２つ備えているが、超音波マイクの個数はこれに限るものではない。
【００４９】
また、本実施形態では、ペンデータを超音波によって送受信するものとしているが、これに限るものではなく、タッチパネル部１３の処理を妨げない方法でペンデータを送受信できればよい。例えば、超音波方式に代えて、ＩＲ（赤外線）方式、無線方式、Bluetooth（登録商標）等を用いてもよい。
【００５０】
インターフェース部１６は、表示装置１に対して通信可能に接続された外部装置３との間で通信を行うためのものである。表示装置１と外部装置３との接続方法は特に限定されるものではなく、有線であっても無線であってもよい。
【００５１】
制御部１５は、タッチパネル部１３を用いて検出したユーザーの表示画面１１ａに対するタッチ位置を示す位置データ、およびペンデータ受信部１４によって受信したペンデータを、インターフェース部１６を介して外部装置３に出力させる。また、制御部１５は、表示制御部１２を制御し、ペン入力装置２によってタッチ操作された表示画面１１ａ上の位置を示す画像を表示画面１１ａに表示させる。あるいは、ペン入力装置２によってタッチ操作された表示画面１１ａ上の位置の軌跡に応じて文字、線、図形等を表示画面１１ａにおけるタッチ操作に応じた位置に表示させる。
【００５２】
また、制御部１５は、インターフェース部１６を介して外部装置３から受信したデータに応じて表示装置１の各部を制御する。例えば、外部装置３から受信した画像データに応じた画像を表示部１１に表示させる。
【００５３】
外部装置３は、表示装置１との通信を行うインターフェース部３２と、表示装置１から受信した位置データおよびペンデータに応じた処理を行うデータ処理部３３と、表示装置１から受信した位置データおよびペンデータを記憶するデータ記憶部３４とを備えている。データ処理部３３における処理の詳細については後述する。なお、本実施形態では、表示装置１と外部装置３とが通信可能に接続されている構成について説明するが、これに限らず、表示装置１と外部装置３とが一体的に形成されていてもよい。この場合、表示装置１の制御部１５と外部装置３の制御部３１とが共通の処理回路によって形成されていてもよい。
【００５４】
図５はペン入力装置２の外観を示す模式図である。図２および図５に示すように、ペン入力装置２は、ペン先スイッチ２１、メニューボタン２２、モード／色切替ボタン２３、ペン制御部２４、およびペンデータ送信部２５を備えている。
【００５５】
ペン制御部２４は、演算部、制御プログラムを記憶するメモリ、および演算に伴う一時的なデータを記憶するメモリ等を備えている（いずれも図示せず）からなり、ペン先スイッチ２１、メニューボタン２２、およびモード／色切替ボタン２３が検出したユーザーの操作内容に応じた信号であるペンデータを、ペンデータ送信部２５を介して表示装置１に送信させる。
【００５６】
ペン先スイッチ（接触検出手段）２１は、ユーザーがペン入力装置２のペン先を指示対象物に接触させたときにオン状態になり、ペン先が何にも接触していない場合にはオフ状態となる機械式スイッチである。なお、ペン先スイッチ２１は、ペン先が指示対象物に対して接触しているか否かを検出できる構成であればよく、機械式スイッチに限るものではない。例えば、光学式スイッチ等であってもよい。ペン制御部２４は、ペン先スイッチ２１がオン状態になったことを検出すると、ペン入力装置２がオン状態であることを示す信号（ペンデータ）を、ペンデータ送信部２５を介して表示装置１に送信させる。
【００５７】
なお、ペン先スイッチ２１は円錐の先端部を丸めた形状を有しており、先端から上記ホバリングギャップ（約３ｍｍ）だけ離れた位置の径は約４ｍｍであり、発光素子４１ａおよび４１ｂのギャップ（本実施形態では４．３５ｍｍ）よりもやや短く設定されている。ただし、ペン先スイッチ２１の形状はこれに限るものではない。
【００５８】
図６は、表示装置１の表示画面１１ａに表示される画像の一例を示す模式図である。この図に示す例では、表示画面１１ａの右上部に、複数のメニューアイコンからなるメニューアイコン群５１が表示されている。上記各メニューアイコンに対応するメニューは特に限定されるものではないが、例えば、ペン入力装置２によって書き込む文字や線の色を変更するためのメニュー、ペン入力装置２によって書き込む文字や線の太さを変更するためのメニュー、書き込まれている文字や線をペン入力装置２によるタッチ操作よって消去するためのメニュー（消しゴム機能）、表示画像を変倍（拡大あるいは縮小）させるためのメニュー、ペン入力装置２によって表示画面上のオブジェクトあるいは範囲を指定する処理を行うためのメニュー、直前に行った操作を元に戻す（やり直す）ためのメニュー、他のページに移行するためのメニュー、ページデータを保存するためのメニュー、ページデータを印刷するためのメニュー、ページデータを所定の送信先に送信するためのメニュー、各種設定を変更するためのメニュー、所定のフォルダを開くためのメニューなどが挙げられる。また、本実施形態ではメニューアイコン群５１を表示画面１１ａに表示させているが、これに限らず、例えば表示装置１の枠部１１ｂ等にベゼルスイッチとして設けてもよい。
【００５９】
例えば、ユーザーは、ペン入力装置２の先端部で所望するメニューに対応するメニューアイコンをタッチ操作することにより、当該メニューに応じた処理を指示することができる。
【００６０】
また、表示画面１１ａにおけるメニューアイコン群５１以外の領域にペン入力装置２の先端部を接触させることにより、文字や線、図形等を書き込むことができる。
【００６１】
また、ペン制御部２４は、メニューボタン２２あるいはモード／色切替ボタン２３が操作されたことを検知すると、当該ボタンに予め割り当てられた機能に応じた信号（ペンデータ）を、ペンデータ送信部２５を介して表示装置１に送信させる。例えば、ペン制御部２４は、メニューボタン２２が操作されると、予め設定されたユーザーが選択可能なメニューのうちメニューボタン２２の操作回数に応じたメニューを表示させるための要求を表示装置１に送信し、表示部１１に表示させる。また、ペン制御部２４は、モード／色切替ボタン２３が操作されると、その時点で選択されているメニューを実行させるための信号を表示装置１に送信する。上記メニューとしては、例えば、上記メニューアイコンに対応するメニューと同様であってもよく、異なっていてもよい。
【００６２】
なお、メニューボタン２２およびモード／色切替ボタン２３に割り当てる機能は特に限定されるものではなく、任意に設定可能である。例えば、従来のパソコン等で用いられているマウスにおける右ボタンおよび左ボタンと同様の機能をメニューボタン２２およびモード／色切替ボタン２３に割り当ててもよい。
【００６３】
（１−２．電子黒板システム１０の動作）
次に、電子黒板システム１０の動作について説明する。
【００６４】
（１−２−１．タッチ操作による指示入力の受付処理）
まず、タッチ操作によるユーザーからの指示入力の受付処理について、図７のフローチャートを参照しながら説明する。
【００６５】
はじめに、制御部１５は、記憶部１７に記憶させている指フラグおよびペンフラグをリセットする（Ｓ１）。指フラグおよびペンフラグの詳細については後述する。
【００６６】
次に、制御部１５は、表示画面に対する接触（タッチ操作）を検出したか否かを判断する（Ｓ２）。なお、本実施形態では、赤外線遮断方式のタッチパネルを用いているので、受光部４３における何れかの受光素子において赤外線が遮断されたことを検出したか否かに応じて表示画面に対する接触が行われたか否かを判断する。
【００６７】
Ｓ２において表示画面に対する接触を検出していないと判断した場合、制御部１５は後述するＳ９の処理に移行する。
【００６８】
一方、Ｓ２において表示画面に対する接触を検出したと判断した場合、制御部１５は、ペン入力装置２がオン状態であるか否かを判断する（Ｓ３）。具体的には、制御部１５は、ペンデータ受信部１４がペン入力装置２からペン先スイッチ２１がオン状態になっていることを示す信号（ペンデータ）を受信したか否かに応じてペン入力装置２がオン状態であるか否かを判断する。
【００６９】
そして、ペン入力装置２がオン状態であると判断した場合、制御部１５は、ペンフラグをセットする（Ｓ４）。具体的には、制御部１５は、記憶部１７に記憶させているペンフラグの値をペン入力装置２がオン状態であることを示す値に更新する。すなわち、ペンフラグは、オン状態のペン入力装置２によって表示画面１１ａへの接触が行われたことを示すフラグである。
【００７０】
一方、ペン入力装置２がオン状態ではないと判断した場合、制御部１５は、指フラグをセットする（Ｓ５）。具体的には、制御部１５は、記憶部１７に記憶させている指フラグの値をペン入力装置２がオフ状態であることを示す値に更新する。すなわち、指フラグは、オン状態のペン入力装置２以外の物（例えば、ユーザーの指や指示棒、あるいはオフ状態のペン入力装置２など）によって表示画面１１ａへの接触が行われたことを示すフラグである。
【００７１】
次に、制御部１５は、受光部４３の受光結果に基づいて、表示画面１１ａにおける接触された位置の座標を算出し（Ｓ６）、算出した座標データと、ペンフラグおよび指フラグの状態を示すフラグデータとをインターフェース部１６を介して外部装置３に送信させる（Ｓ７）。なお、外部装置３における処理については後述する。
【００７２】
その後、制御部１５は、表示画面１１ａに対する接触状態が継続しているか否かを判断し（Ｓ８）、継続している場合にはＳ６およびＳ７の処理を繰り返す。
【００７３】
また、Ｓ８において接触状態が終了したと判断した場合、およびＳ２において表示画面に対する接触を検出していないと判断した場合、制御部１５は、タッチ操作によるユーザーからの指示入力の受け付け処理を終了するか否かを判断する（Ｓ９）。そして、終了すると判断した場合には処理を終了し、終了しないと判断した場合にはＳ１の処理に戻る。なお、タッチ操作によるユーザーからの指示入力の受け付け処理を終了するか否かの判断は、例えば、ユーザーからの終了指示がなされたか否か、あるいは電子黒板システム１０の電源がオフされたか否か等に応じて行えばよい。
【００７４】
（１−２−２．書込範囲拡張処理）
次に、書込範囲拡張処理について、図８に示すフローチャートを参照しながら説明する。書込範囲拡張処理とは、書き込み指示の対象とするページデータ（編集中のページデータ）に応じたページ画像の周囲に、ユーザーのタッチ操作に応じて書込処理を行える領域である拡張書込範囲を付加した拡張ページ画像を生成する処理である。
【００７５】
まず、外部装置３の制御部３１は、インターフェース部３２を介して表示装置１から座標データおよびフラグデータを受信すると（Ｓ１１）、受信したフラグデータに基づいてペンフラグがセットされているか否かを判断する（Ｓ１２）。
【００７６】
そして、Ｓ１２においてペンフラグがセットされていると判断した場合、制御部３１は、受信した座標データはペン入力装置２をオン状態にして書き込まれたデータであると判断し、データ処理部３３を制御して接触された位置に応じた所定の処理（ペン入力処理）を行わせる（Ｓ１３）。
【００７７】
なお、上記ペン入力処理の内容は特に限定されるものではなく、従来の電子黒板システムと同様の処理であってもよい。例えば、表示画面１１ａにおけるページ画像に対するタッチ操作であった場合、タッチ位置の軌跡に応じた線や文字を編集中のページデータに付加するとともに、当該ページデータに応じた画像であるページ画像（ページ画像データ）に反映させて表示装置１に送信する。また、メニューアイコンに対するタッチ操作であった場合、当該メニューアイコンに応じた処理を行わせる。なお、選択されているメニューアイコンとページ画像に対する接触位置とに応じて処理内容を決定するようにしてもよい。
【００７８】
一方、Ｓ１２においてペンフラグがセットされていないと判断した場合、制御部３１は、受信した座標データに基づいて接触位置の軌跡に対応するベクトル（方向および長さ）を算出する（Ｓ１４）。図９は、上記ベクトルの算出方法を示す説明図である。この図に示すように、制御部３１は、受信した座標データに基づいて、指（オン状態のペン入力装置２以外の物）による接触が開始された位置の座標（ｘｉ，ｙｉ）と、指が離された位置の座標（ｘｊ，ｙｊ）とを検出し、この検出結果に基づいて上記ベクトルを算出する。
【００７９】
次に、制御部３１は、Ｓ１４で算出したベクトルに応じて書込範囲拡張処理（Ｓ１５）、および縮小処理（変倍処理）（Ｓ１６）を行う。
【００８０】
図１は、書込範囲拡張処理および変倍処理を説明するための模式図である。この図に示すように、指によるタッチ操作（書込領域拡張指示、第２方法によるタッチ操作）が行われる前の状態（デフォルト設定の状態）では、表示画面１１ａの全域に編集中のページデータのページ画像の全体が表示されており、このページ画像の全域に対して書き込み可能になっている。
【００８１】
そして、指によるタッチ操作が行われると、制御部１５は当該タッチ操作のベクトルに応じて、表示画面１１ａに表示されていたページ画像の一部が表示画面１１ａの外部に移動するように当該ページ画像をスライド（平行移動）させ、このスライドによって表示画面１１ａに生じる余白領域を新たな書込領域である拡張書込範囲としてページ画像に付加する。
【００８２】
なお、ページ画像をスライドさせる量は、ベクトルの長さと同じにしてもよく、ベクトルの長さに予め設定した倍率を乗じた量（ベクトルの長さに比例した量）にしてもよく、ベクトルの長さによらず一定にしてもよく、ベクトルの長さを複数段階に分類した各グループとスライドさせる量とを予め対応付けておき、ベクトルの長さに対応するグループに応じた量に設定してもよい。
【００８３】
また、スライドさせる方向は、ベクトルに応じた方向であってもよく、ベクトルの方向を基準方向（例えば図９のｘ方向）に対する角度に応じて複数段階に分類した各角度範囲とスライドさせる方向とを予め対応付けておき、ベクトルの方向に対応する角度範囲に応じた方向に設定してもよい。
【００８４】
また、制御部１５は、ページ画像をスライドさせる前（書込範囲拡張処理前）に表示画面１１ａに表示されていたページ画像全体のサイズが表示画面１１ａにおける拡張書込範囲以外の領域のサイズに一致するように当該ページ画像を縮小（変倍）する。
【００８５】
その後、制御部３１は、編集中のページデータを、書込範囲拡張処理前のページ画像を縮小した画像と拡張書込範囲の画像とを組み合わせたページデータに更新するとともに（Ｓ１７）、更新後のページデータに応じたページ画像（拡張ページ画像）を表示画面１１ａに表示させるための表示データを生成し（Ｓ１８）、表示装置１に送信する。なお、書込領域の変更履歴を記憶部１７に記憶させておき、ユーザーからの指示に応じて過去の書込領域の状態に戻せるようにしてもよい。
【００８６】
その後、制御部３１は電子黒板システム１０の処理を終了するか否かを判断し（Ｓ１９）、終了しない場合にはＳ１１の処理に戻る。
【００８７】
以上のように、本実施形態にかかる電子黒板システム１０は、ページ画像に対する書き込み指示を行うための表示画面１１ａに対するペン入力装置２によるタッチ操作（第１方法によるタッチ操作）と、ペン入力装置２以外によるタッチ操作（第２方法によるタッチ操作）とを識別可能に検出し、ペン入力装置２以外による所定のタッチ操作を検出した場合に、当該タッチ操作が行われる前のページ画像の周囲に拡張書込範囲を付加した拡張ページ画像を生成する書込範囲拡張処理を行う。
【００８８】
これにより、ユーザーがページ画像の書込可能範囲を容易に拡張することができる。また、書き込み指示をペン入力装置２によって入力するための領域と、書込範囲拡張処理をペン入力装置２以外により入力するための領域とを共通にできるので、書込可能領域が広く、ユーザーが直感的な操作を行うことができる。
【００８９】
また、本実施形態では、変倍処理により、書込範囲拡張処理後のページデータに応じたページ画像のサイズを書込範囲拡張処理前のページ画像のサイズに一致させて表示画面１１ａに表示させる。これにより、拡張書込範囲を含むページデータの全体が表示されるので、書込範囲拡張処理を行った場合であってもユーザーがページデータの全体を容易に把握することができる。
【００９０】
また、例えば、ページデータの書込可能範囲と表示画面１１ａにおける表示範囲とが一致する標準（デフォルト）設定のページデータに対して必要に応じて拡張書込範囲を適宜付加して書込可能領域を拡張することができるので、ユーザーが最終的なページの範囲を書き込み開始直後から意識する必要がなく、ページデータの範囲を必要に応じて適宜変更できる。
【００９１】
なお、上記特許文献１，２の技術では、表示領域のサイズよりも大きな画像データの一部を表示領域に表示させた状態で当該表示領域の周縁に触れる操作を行ったときに、画像データにおけるそれまで非表示領域であった領域を表示させるように表示画面をスクロールさせるようになっており、必要に応じて拡張書込範囲を適宜付加することについては何ら考慮されていない。また、画像データをページ単位で管理することについても考慮されておらず、ユーザーが表示画面に表示される画像と画像データの全体像との関係を把握しにくく、また画像データの非表示領域の内容を視認できない。
【００９２】
なお、本実施形態では、表示画面１１ａに表示されている画像の一部が表示領域から外れるようにスライドさせることによって表示領域に生じた余白領域を拡張書込範囲とした後、書込範囲拡張処理前に表示されていた画像を縮小（変倍）して書込範囲拡張処理後のページデータ、および当該ページデータのページ画像に含める構成について説明したが、これに限るものではない。例えば、スライド処理を行わず、書込範囲拡張処理前に表示されていた画像を指によるタッチ操作に対応するベクトルに応じて縮小処理し、この縮小処理によって表示領域に生じる余白領域を拡張書込範囲とすることにより、書込範囲拡張処理前のページデータと拡張書込範囲とを含むページデータ、および当該ページデータのページ画像を生成するようにしてもよい。例えば、図１の場合、表示画面１１ａの左下角部を固定点として拡張領域生成前の表示画像をベクトルに応じた変倍率で縮小し、それによって生じる余白領域
を拡張領域とするようにしてもよい。あるいは、拡張領域生成前の表示画像をベクトルに応じた変倍率で縮小し、縮小後の画像を表示画面１１ａにおけるベクトル方向の端部に配置することにより、拡張領域とするようにしてもよい。
【００９３】
また、本実施形態では、指によるタッチ操作に応じたスライド処理および変倍処理によって書き込み領域の拡張処理を行った後に当該拡張領域に対するペン入力装置２による文字や線等の入力を受け付けるようになっている。ただし、これに限らず、表示画面１１ａに表示されている画像をスライドさせることによって拡張領域を生成した後、この状態で拡張領域に対するペン入力装置２による文字や線等の書き込みを受け付け、受け付けた文字や線等に応じたペン入力処理を行ってから、拡張領域の生成前に表示されていた画像を変倍してページデータに含めるようにしてもよい。
【００９４】
〔実施形態２〕
本発明の他の実施形態について説明する。なお、説明の便宜上、実施形態１と同様の機能を有する部材については実施形態１と同じ符号を付し、その説明を省略する。
【００９５】
本実施形態にかかる電子黒板システム１０の構成は実施形態１に示したものと略同様である。ただし、本実施形態では、複数ページのページデータが存在する場合に、編集中のページデータに応じた画像が表示されている表示画面１１ａの一部に、他のページデータのサムネイル画像（縮小画像）を表示させ、サムネイル画像に対する操作を行うことによって編集するページデータを任意に切り替えることができるようになっている。
【００９６】
図１０は本実施形態にかかる電子黒板システム１０における処理の流れを示すフローチャートである。なお、表示装置１におけるタッチ操作による指示入力の受け付け処理は実施形態１と同様である。
【００９７】
まず、外部装置３の制御部３１は、複数ページ分のページデータがあるか否かを判断する（Ｓ２１）。そして、複数ページ分のページデータが存在しない場合、制御部３１は、ページデータに応じた画像を表示画面１１ａの全域に表示させるための表示データを生成し、表示装置１に送信する（Ｓ２２）。
【００９８】
一方、複数ページ分のページデータが存在する場合、制御部３１は、各ページデータの縮小画像データ（あるいはサムネイル画像データ）を生成し（Ｓ２３）、編集中のページデータを表示画面１１ａの全域に表示させるための画像に編集中のページデータ以外のページデータの縮小画像データを重畳させた重畳表示データを生成して表示装置１に送信する（Ｓ２４）。
【００９９】
Ｓ２２またはＳ２４の処理を行った後、制御部３１は、表示装置１から座標データおよびフラグデータを受信することを監視する（Ｓ２５）。そして、表示装置１から座標データおよびフラグデータを受信すると、制御部３１は、受信したフラグデータに基づいてペンフラグがセットされているか否かを判断する（Ｓ２６）。
【０１００】
そして、Ｓ２６においてペンフラグがセットされていると判断した場合、制御部３１は、受信した座標データはペン入力装置２をオン状態にして書き込まれたデータであると判断し、データ処理部３３を制御して接触された位置に応じた所定の処理（ペン入力処理）を行わせる（Ｓ２７）。この処理は図８におけるＳ１３の処理と同様である。
【０１０１】
一方、Ｓ２６においてペンフラグがセットされていないと判断した場合、制御部３１は、受信した座標データに基づいて、縮小画像に対する処理か否かを判断する（Ｓ２８）。そして、縮小画像に対する処理ではないと判断した場合、Ｓ３０〜Ｓ３３の処理を行う。なお、Ｓ３０〜Ｓ３３の処理は図８におけるＳ１５〜Ｓ１８の処理と同様である。
【０１０２】
そして、Ｓ２７またはＳ３０〜Ｓ３３の処理を行った後、制御部３１は電子黒板システム１０の処理を終了するか否かを判断し（Ｓ３４）、終了しない場合にはＳ２１の処理に戻る。
【０１０３】
一方、Ｓ２８において縮小画像に対する処理であると判断した場合、制御部３１は、ページ切り替え指示（縮小画像を選択するためのタッチ操作）であるか否かを判断する（Ｓ３５）。本実施形態では、縮小画像に対してペン入力装置２以外でダブルタッチ操作（２度押し操作、すなわち所定時間以内に接触／非接触を２回繰り返す操作）した場合にページ切り替え指示がなされたと判断するようになっている。
【０１０４】
そして、Ｓ３５においてページ切り替え指示であると判断した場合、制御部３１は、編集中のページデータをダブルタッチ操作された縮小画像に対応するページデータに切り替え（Ｓ３６）、Ｓ２３の処理に戻る。
【０１０５】
図１１の（ａ）〜（ｃ）はこの場合の表示画面１１ａに表示される画像の推移を示す説明図である。図１１の（ａ）は、編集対象であるページＢの画像が表示画面１１ａの全域に表示され、非編集対象ページであるページＡの縮小画像がページＢの画像の一部に重畳して表示されている状態を示している。また、図１１の（ｂ）のようにページＡの縮小画像をダブルタッチ操作する場合を示している。図１１の（ｂ）のようにページＡの縮小画像をダブルタッチ操作すると、編集対象ページがページＡに切り替えられ、図１１の（ｃ）に示すように、ページＡの画像を表示画面１１ａの全域に表示させ、このページＡの画像の一部にページＢの縮小画像を重畳させた画像（重畳画像）が表示される。
【０１０６】
一方、Ｓ３５においてページ切り替え指示ではないと判断した場合、制御部３１は、縮小画像の移動指示であるか否かを判断する（Ｓ３７）。本実施形態では、縮小画像の一部に触れたまま指（ペン入力装置２以外の物）を表示画面１１ａ上で移動させた場合に、縮小画像の移動指示であると判断するようになっている。
【０１０７】
そして、縮小画像の移動指示であると判断した場合、縮小画像の重畳位置を指の接触位置に応じて移動させた重畳表示データを再生成して表示装置１に送信し（Ｓ３８）、Ｓ２５の処理に戻る。また、縮小画像の移動指示ではないと判断した場合には、そのままＳ２５の処理に戻る。
【０１０８】
以上のように、本実施形態にかかる電子黒板システム１０は、複数ページのページデータが存在する場合に、編集対象のページデータ（書き込み指示の対象とするページデータ）の画像を表示画面１１ａの略全域に表示させるとともに、この編集対象のページデータの画像に非編集対象のページデータ（書き込み指示の対象とするページデータ以外のページデータのうちの少なくとも１ページ分のページデータ）の縮小画像を重畳させて表示させる。そして、縮小画像に対してページデータの切り替え指示が行われたときに、当該縮小画像に対応するページデータを編集対象のページデータに切り替え、当該ページデータの画像を表示画面の略全域に表示させるとともに、その他のページデータの縮小画像を重畳させて表示させる。
【０１０９】
これにより、ユーザーが、複数ページのページデータの内容を容易に把握するとともに、ページデータの切り替え処理を簡単な操作で行うことができる。したがって、ユーザーの利便性を向上させることができる。
【０１１０】
なお、上記各実施形態では、書込領域に対する線や文字の書き込み指示をペン入力装置２で行い、書き込み領域の拡張指示、縮小画像に対するページデータの切り替え指示、および縮小画像の移動指示を指（ペン入力装置２以外の物）で行う構成について主に説明したが、これに限らず、書込領域に対する線や文字の書き込み指示と、書き込み領域の拡張指示、縮小画像に対するページデータの切り替え指示、および縮小画像の移動指示とを識別可能な方法で指示入力できればよい。
【０１１１】
また、上記各実施形態では、表示装置１と外部装置３とが別々に設けられて通信可能に接続されている構成について説明したが、これに限るものではなく、外部装置３の各部の機能を表示装置１の内部に備えてもよい。すなわち、表示装置１と外部装置３とを一体化させてもよい。
【０１１２】
また、本実施形態では、編集中のページデータに応じた画像を表示画面１１ａの略全域に表示させる場合について説明したが、これに限らず、ページデータに応じた画像の表示領域を表示画面１１ａにおける所定範囲に設定してもよい。
【０１１３】
また、本実施形態において、電子黒板システム１０（表示装置１、外部装置３）に備えられる各部（各ブロック）、特に表示装置１の制御部１５、外部装置３の制御部３１およびデータ処理部３３を、ＣＰＵ等のプロセッサを用いてソフトウェアによって実現してもよい。この場合、電子黒板システム１０（表示装置１、外部装置３）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子黒板システム１０（表示装置１、外部装置３）の制御プログラムのプログラムコード（実行形式プログラム、中間コードプログラム、ソースプログラム）をコンピュータで読み取り可能に記録した記録媒体を、電子黒板システム１０（表示装置１、外部装置３）に供給し、そのコンピュータ（またはＣＰＵやＭＰＵ）が記録媒体に記録されているプログラムコードを読み出し実行することによって達成される。
【０１１４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１５】
また、電子黒板システム１０（表示装置１、外部装置３）を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１６】
また、電子黒板システム１０（表示装置１、外部装置３）の各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１８】
本発明は、タッチパネルを有する表示装置を備え、上記タッチパネルに対する書き込み操作に応じた画像を上記表示装置に表示させる電子黒板システムに適用できる。
【符号の説明】
【０１１９】
１  表示装置
２  ペン入力装置
３  外部装置
１０  電子黒板システム
１１  表示部
１１ａ  表示画面
１１ｂ  枠部
１２  表示制御部
１３  タッチパネル部（タッチ操作検出手段）
１４  ペンデータ受信部（タッチ操作検出手段）
１５  制御部（タッチ操作検出手段）
１６  インターフェース部
１７  記憶部
２１  ペン先スイッチ
２２  メニューボタン
２３  モード／色切替ボタン
２４  ペン制御部
２５  ペンデータ送信部
３１  制御部
３２  インターフェース部
３３  データ処理部
３４  データ記憶部
４１  発光部
４１ａ，４１ｂ  発光素子
４２  アドレスデコーダ
４３  受光部
４３ａ，４３ｂ  受光素子
４４  アドレスデコーダ
４５  Ａ／Ｄ変換部
５１  メニューアイコン群
【図１】
2012146017.tif 000003
【図２】
2012146017.tif 000004
【図３】
2012146017.tif 000005
【図４】
2012146017.tif 000006
【図５】
2012146017.tif 000007
【図６】
2012146017.tif 000008
【図７】
2012146017.tif 000009
【図８】
2012146017.tif 000010
【図９】
2012146017.tif 000011
【図１０】
2012146017.tif 000012
【図１１】
2012146017.tif 000013